(57)【要約】      （修正有）【課題】短絡切離し装置が設けられたループ伝送路の運用管理を、断線箇所の特定を含めて適切に行うことで信頼性を高めた火災報知設備を提供する。【解決手段】受信機１０の伝送部２６は、立上時にループ伝送路１２に電源を供給した後に種別読込信号（起動呼出信号）を送信し、スイッチ４６−１,４６−２をオンした短絡切離装置１８−１から種別応答信号（起動応答信号）を受信して接続順番情報を検出し、接続順番情報に基づき短絡切離し装置１８−１〜１８−５の接続順番を示すノードマップを表示する。ループ伝送路の終端電圧ＶＳ２が検出されない場合は伝送路障害と判断し、終端スイッチ４０をオンしてループ伝送路１２の終端側から種別読込信号及び呼出信号を送信して終端側接続順番情報を検出し、短絡位置又は断線位置を含むノードマップを生成して表示する。【選択図】図２
2020123182.tif 000002
【特許請求の範囲】
【請求項１】
受信機と、
前記受信機に接続されたループ伝送路に直列に接続されて伝送路の接続状態を切り替える複数の切離し装置と、
を備えた火災報知設備に於いて、
前記切離し装置は、
前記ループ伝送路において固有のアドレスを有し、
非給電状態及び給電開始時に前記伝送路を接続断状態とし、
前記固有のアドレスを含む起動呼出信号を前記受信機から受信すると前記伝送路を接続状態とするとともに起動応答信号を送信し、
前記受信機は、前記起動応答信号を受信した順に前記切離し装置が配置されていることを接続順番情報として記憶する、
ことを特徴とする火災報知設備。
【請求項２】
請求項１記載の火災報知設備に於いて、
前記受信機は、
前記伝送路の断線検出時に、ループ伝送路の始端側及び終端側から前記切離し装置に呼出信号を送信し、
前記始端側からの呼出信号に対応する前記応答信号のうち、前記接続順番情報より最も終端側に近い前記切離し装置に対応する前記応答信号をもとに始端側最後の切離し装置として特定し、
前記終端側からの呼出信号に対応する前記応答信号のうち、前記接続順番情報より最も始端側に近い前記切離し装置に対応する前記応答信号をもとに終端側最後の切離し装置として特定し、
前記始端側最後の切離し装置と前記終端側最後の切離し装置の間に断線箇所があることを特定した接続順番情報を記憶する、
ことを特徴とする火災報知設備。
【請求項３】
請求項２記載の火災報知設備に於いて、
前記受信機は、
前記始端側最後の切離し装置と前記終端側最後の切離し装置が前記接続順番情報において隣接していない場合、
前記前記始端側最後の切離し装置と前記終端側最後の切離し装置の間に複数の断線箇所があることを特定した接続順番情報を記憶する、
ことを特徴とする火災報知設備。
【請求項４】
請求項２記載の火災報知設備に於いて、
前記切離し装置は、
前記ループ伝送路に短絡が発生した場合に、短絡発生場所の両側に位置する前記切離し装置が伝送路を接続断状態とする短絡切離し動作を行い、
前記短絡発生場所を前記ループ伝送路から切り離す短絡切離しを行う、
ことを特徴とする火災報知設備。
【請求項５】
請求項４記載の火災報知設備に於いて、
前記短絡切離し装置は、前記短絡切離し動作を行った場合に短絡切離し動作信号を前記受信機に送信し、
前記受信機は、
前記始端側から受信した前記短絡切離し動作信号をもとに始端側短絡切離し装置を特定し、
前記終端側から受信した前記短絡切離し動作信号をもとに終端側短絡切離し装置を特定し、
前記始端側短絡切離し装置と前記終端側短絡切離し装置の間に断線箇所があることを特定した接続順番情報を記憶する、
ことを特徴とする火災報知設備。
【請求項６】
請求項４記載の火災報知設備に於いて、
前記短絡切離し装置は、
前記ループ伝送路を接続断とするスイッチと、
前記スイッチと直列に接続された電流制限抵抗と、
前記電流制限抵抗に並列接続された電流制限解除スイッチと、
を備え、
前記スイッチによりループ伝送路を接続した場合に前記電流制限抵抗を介して１次側から２次側に電源を供給して電流制限し、所定の突入電流設定時間が経過したときに前記電流制限解除スイッチによりループ伝送路を接続して前記電流制限を解除することを特徴とする火災報知設備。
【請求項７】
請求項５記載の火災報知設備に於いて、
前記短絡切離し装置は、前記短絡切離し動作を行った場合に短絡切離しを報知し、
前記受信機は、前記断線検出時に前記始端側最後の切離し装置と前記終端側最後の切離し装置に最後の短絡切離し装置を示す信号を送信し、
前記最後の短絡切離し装置を示す信号を受信した短絡切離し装置は、断線を報知する、
ことを特徴とする火災報知設備。
【請求項８】
請求項１乃至７の何れかに記載の火災報知設備に於いて、
前記受信機は、前記接続順番情報に関するノードマップを生成して表示する、
ことを特徴とする火災報知設備。
【請求項９】
受信機に対しネットワーク回線を介して１又は複数の中継盤が接続され、前記中継盤に接続されたループ伝送路に火災感知器及び短絡切離し装置を含む端末を接続して火災を監視し、前記中継盤で火災を検出した場合に前記受信機に通知して火災警報を出力させる分散システムが構成されており、
前記切離し装置は、
前記ループ伝送路において固有のアドレスを有し、
非給電状態及び給電開始時に前記伝送路を接続断状態とし、
前記固有のアドレスを含む起動呼出信号を前記中継盤から受信すると前記伝送路を接続状態とするとともに起動応答信号を送信し、
前記中継盤は、前記起動応答信号を受信した順に前記切離し装置が配置されていることを中継盤接続順番情報として前記受信機に送信し、
前記受信機は、前記中継盤接続順番情報に関する中継盤ノードマップを生成して表示する、
ことを特徴とする火災報知設備。
【請求項１０】
請求項９記載の火災報知設備に於いて、
前記伝送路の断線発生時に、前記中継盤は、断線検出を行い、前記短絡切離し装置の応答信号と前記中継盤接続順番情報をもとに断線箇所を特定した中継盤接続順番情報を前記受信機に送信し、
前記伝送路の短絡発生時に、前記短絡切離し装置は、前記短絡切離し動作を行った場合に短絡切離し動作信号を前記中継盤に送信し、
前記中継盤は、前記短絡切離し動作信号と前記接続順番情報をもとに短絡箇所を特定した中継盤接続順番情報を前記受信機に送信し、
前記受信機は、前記中継盤接続順番情報に関する中継盤ノードマップを生成して表示する、
ことを特徴とする火災報知設備。
【発明の詳細な説明】
【技術分野】
【０００１】
本発明は、受信機からのループ伝送路に火災感知器及び短絡切離し装置（ショートサーキットアイソレータ）を含む端末を接続して火災を監視する火災報知設備に関する。
【背景技術】
【０００２】
従来、Ｒ型として知られた火災報知設備にあっては、受信機から引き出された伝送路に、伝送機能を備えた火災感知器等の端末装置を接続し、火災検出時には、例えば火災感知器からの火災割込みに基づき、検索コマンドを発行して発報した火災感知器のアドレスを特定し、火災発生アドレスを表示すると共に、特定した火災感知器から火災データを収集して監視するようにしている。
【０００３】
このように、火災を検出した火災感知器のアドレスが分かると、適切な避難誘導や消火活動が可能となり、特に規模の大きな設備の火災監視には不可欠な機能となっている。
【０００４】
また、火災受信機から引き出された伝送路の断線障害に対する信頼性を確保するため、受信機に対しループ状に接続されたループ伝送路に火災感知器を接続して火災を監視する火災報知設備が知られている。
【０００５】
図１７は従来のループ伝送路を用いた火災報知設備の説明図である。図１７に示すように、受信機１０に設けられた伝送部１００からは一対の信号線を用いた伝送路１２が引き出され、伝送路１２は受信機１０から引き出された後に再び受信機１０に戻るループ状に配置されている。以下、説明では、受信機１０にループ状に接続された伝送路１２を、ループ伝送路１２という。
【０００６】
ループ伝送路１２の信号線間には伝送機能を備えた火災感知器１６が接続されており、火災感知器１６には固有の端末アドレスが設定され、伝送部１００から線路電圧を変化させる電圧制御信号（下り信号）を送信し、火災感知器１６からは線路電流を変化させる電流応答信号（上り信号）を送信することで、火災を監視している。
【０００７】
また、ループ伝送路１２の途中には、所定の回線長や回線位置毎に、ショートサーキットアイソレータとして知られた短絡切離し装置１８が接続されている。
【０００８】
受信機１０に引き込まれたループ伝送路１２の終端には、終端の信号線を伝送部１００に切替え接続する終端スイッチ１０２が設けられており、通常監視状態で終端スイッチ１０２はオフとなり、ループ伝送路１２の終端は伝送部１００から切り離されている。
【０００９】
運用中にループ伝送路１２の途中で断線１０４が発生したとすると、ループ伝送路１２の終端電圧が断たれたことにより断線を検出して終端スイッチ１０２をオンし、ループ伝送路１２の終端に伝送部１００が接続される。
【００１０】
このため伝送部１００からの電圧制御信号は、終端スイッチ１０２を介してループ伝送路１２の終端側から断線１０６の発生箇所に向けて伝送され、断線１０４の発生場所とループ伝送路１２の終端の間に接続されている火災感知器１６との間での信号の送受信が可能となり、断線障害が発生しても、ループ伝送路１２に接続された火災感知器１８による火災監視機能が失われることはなく、高い信頼性が得られる。
【００１１】
また、運用中にループ伝送路１２で短絡が発生した場合には、短絡発生場所の両側に位置する短絡切離し装置１８がスイッチ４６をオフして短絡箇所をループ伝送路１２から切り離す。短絡切離し装置１８による短絡箇所の切離しが行われると、断線時と同様にループ伝送路１２の終端電圧が断たれたことにより電圧監視部１０４は断線を検出して終端スイッチ１０２をオンし、伝送部１００からの端末制御信号は、終端スイッチ１０２を介してループ伝送路１２の終端側から断線１０６の発生箇所に向けて伝送され、短絡障害が発生しても、ループ伝送路１２に接続された火災感知器１６による火災監視機能が失われることはなく、高い信頼性が得られる。
【先行技術文献】
【特許文献】
【００１２】
【特許文献１】特開２００８−００４０３３号公報
【特許文献２】特開２０１０−１１４６３２号公報
【発明の概要】
【発明が解決しようとする課題】
【００１３】
しかしながら、このような従来のループ伝送路が設けられた火災報知設備にあっては、ループ伝送路１２に断線が発生した場合、電圧監視部１０４による終端電圧の監視により受信機１０はループ伝送路１２に断線が発生したことが分かり、また、始端側と終端側から端末アドレスを指定した呼出信号に対する短絡切離装置１８からの応答信号の受信により、断線箇所に対する始端側グループと終端グループに分けることはできるが、ループ伝送路１２の何処で断線が発生したかを特定することができず、断線箇所の発見と修復に手間と時間がかかる問題がある。
【００１４】
また、受信機１０を立上げた場合に、受信機に対する短絡切離し装置１８の接続順番は、ループ伝送路が正常であればループ伝送路１２の始端側からの接続順番となり、ループ伝送路１２に短絡又は断線が発生していた場合には、ループ伝送路１２の始端と終端のそれぞれから短絡又は断線位置までの接続順番となるが、受信機１０はループ伝送路１２の状態に対応した短絡切離し装置１８の接続順番を認識しておらず、断線箇所が特定できない問題に加え、短絡切離し装置１８が設けられたループ伝送路１２の運用管理が十分にできない問題がある。
【００１５】
本発明は、短絡切離し装置が設けられたループ伝送路の運用管理を、断線箇所の特定を含めて適切に行うことで信頼性を高めた火災報知設備を提供することを目的とする。
【課題を解決するための手段】
【００１６】
（火災報知設備）
本発明は、
受信機と、
受信機に接続されたループ伝送路に直列に接続されて伝送路の接続状態を切り替える複数の切離し装置と、
を備えた火災報知設備に於いて、
切離し装置は、
ループ伝送路において固有のアドレスを有し、
非給電状態及び給電開始時に伝送路を接続断状態とし、
固有のアドレスを含む起動呼出信号を受信機から受信すると伝送路を接続状態とするとともに起動応答信号を送信し、
受信機は、起動応答信号を受信した順に切離し装置が配置されていることを接続順番情報として記憶する、
ことを特徴とする。
【００１７】
（断線時の断線箇所特定）
受信機は、
伝送路の断線検出時に、ループ伝送路の始端側及び終端側から切離し装置に呼出信号を送信し、
始端側からの呼出信号に対応する応答信号のうち、接続順番情報より最も終端側に近い切離し装置に対応する応答信号をもとに始端側最後の切離し装置として特定し、
終端側からの呼出信号に対応する応答信号のうち、接続順番情報より最も始端側に近い切離し装置に対応する応答信号をもとに終端側最後の切離し装置として特定し、
始端側最後の切離し装置と終端側最後の切離し装置の間に断線箇所があることを特定した接続順番情報を記憶する。
【００１８】
（２箇所断線時の断線箇所特定）
受信機は、
始端側最後の切離し装置と終端側最後の切離し装置が接続順番情報において隣接していない場合、
始端側最後の切離し装置と終端側最後の切離し装置の間に複数の断線箇所があることを特定した接続順番情報を記憶する。
【００１９】
（短絡切離し装置）
切離し装置は、
ループ伝送路に短絡が発生した場合に、短絡発生場所の両側に位置する切離し装置が伝送路を接続断状態とする短絡切離し動作を行い、
短絡発生場所をループ伝送路から切り離す短絡切離しを行う。
【００２０】
（短絡時の短絡箇所特定）
短絡切離し装置は、短絡切離し動作を行った場合に短絡切離し動作信号を受信機に送信し、
受信機は、
始端側から受信した短絡切離し動作信号をもとに始端側短絡切離し装置を特定し、
終端側から受信した短絡切離し動作信号をもとに終端側短絡切離し装置を特定し、
始端側短絡切離し装置と終端側短絡切離し装置の間に断線箇所があることを特定した接続順番情報を記憶する。
【００２１】
（短絡切離し装置の突入電流制限構成）
短絡切離し装置は、
ループ伝送路を接続断とするスイッチと、
スイッチと直列に接続された電流制限抵抗と、
電流制限抵抗に並列接続された電流制限解除スイッチと、
を備え、
スイッチによりループ伝送路を接続した場合に電流制限抵抗を介して１次側から２次側に電源を供給して電流制限し、所定の突入電流設定時間が経過したときに電流制限解除スイッチによりループ伝送路を接続して電流制限を解除する。
【００２２】
（断線切離し装置の断線及び短絡の報知）
短絡切離し装置は、短絡切離し動作を行った場合に短絡切離しを報知し、
受信機は、断線検出時に始端側最後の切離し装置と終端側最後の切離し装置に最後の短絡切離し装置を示す信号を送信し、
最後の短絡切離し装置を示す信号を受信した短絡切離し装置は、断線を報知する。
【００２３】
（ノードマップ表示）
受信機は、接続順番情報に関するノードマップを生成して表示する。
【００２４】
（分散システムの中継盤）
受信機に対しネットワーク回線を介して１又は複数の中継盤が接続され、中継盤に接続されたループ伝送路に火災感知器及び短絡切離し装置を含む端末を接続して火災を監視し、中継盤で火災を検出した場合に受信機に通知して火災警報を出力させる分散システムが構成されており、
切離し装置は、
ループ伝送路において固有のアドレスを有し、
非給電状態及び給電開始時に伝送路を接続断状態とし、
固有のアドレスを含む起動呼出信号を中継盤から受信すると伝送路を接続状態とするとともに起動応答信号を送信し、
中継盤は、起動応答信号を受信した順に切離し装置が配置されていることを中継盤接続順番情報として受信機に送信し、
受信機は、中継盤接続順番情報に関する中継盤ノードマップを生成して表示する。
【００２５】
（中継盤の接続順番情報に基づく断線表示と短絡表示）
伝送路の断線発生時に、中継盤は、断線検出を行い、短絡切離し装置の応答信号と中継盤接続順番情報をもとに断線箇所を特定した中継盤接続順番情報を受信機に送信し、
伝送路の短絡発生時に、短絡切離し装置は、短絡切離し動作を行った場合に短絡切離し動作信号を中継盤に送信し、
中継盤は、短絡切離し動作信号と接続順番情報をもとに短絡箇所を特定した中継盤接続順番情報を受信機に送信し、
受信機は、中継盤接続順番情報に関する中継盤ノードマップを生成して表示する。
【発明の効果】
【００２６】
（基本的な効果）
本発明は、受信機と、受信機に接続されたループ伝送路に直列に接続されて伝送路の接続状態を切り替える複数の切離し装置と、を備えた火災報知設備に於いて、切離し装置は、ループ伝送路において固有のアドレスを有し、非給電状態及び給電開始時に伝送路を接続断状態とし、固有のアドレスを含む起動呼出信号を受信機から受信すると伝送路を接続状態とするとともに起動応答信号を送信し、受信機は、起動応答信号を受信した順に切離し装置が配置されていることを接続順番情報として記憶するようにしたため、受信機立上げ時の起動呼出信号の送信と起動応答信号の受信により、ループ伝送路における複数の短絡切離し装置の接続の順番が検出され、短絡切離し装置の接続順番を把握することができる。
【００２７】
（断線時の断線箇所特定による効果）
また、受信機は、伝送路の断線検出時に、ループ伝送路の始端側及び終端側から切離し装置に呼出信号を送信し、始端側からの呼出信号に対応する応答信号のうち、接続順番情報より最も終端側に近い切離し装置に対応する応答信号をもとに始端側最後の切離し装置として特定し、終端側からの呼出信号に対応する応答信号のうち、接続順番情報より最も始端側に近い切離し装置に対応する応答信号をもとに終端側最後の切離し装置として特定し、始端側最後の切離し装置と終端側最後の切離し装置の間に断線箇所があることを特定した接続順番情報を記憶するようにしたため、始端側最後の切離し装置と終端側最後の切離し装置が把握できるので、ループ伝送路の断線位置を簡単且つ正確に把握し、断線位置の把握により修復作業を効率良く進めることができる。
【００２８】
（２箇所断線時の断線箇所特定による効果）
また、受信機は、始端側最後の切離し装置と終端側最後の切離し装置が接続順番情報において隣接していない場合、始端側最後の切離し装置と終端側最後の切離し装置の間に複数の断線箇所があることを特定した接続順番情報を記憶するようにしたため、ループ伝送路の２箇所で断線が発生していた場合にも、始端側接続順番の最後の番号の短絡切離し装置とこれに隣接していない終端接続順番の最後の番号の短絡切離し装置の間に存在する２箇所の断線位置が簡単且つ正確に分かり、短絡位置の把握により修復作業を効率良く進めることができる。
【００２９】
（短絡切離し装置の効果）
また、切離し装置は、ループ伝送路に短絡が発生した場合に、短絡発生場所の両側に位置する切離し装置が伝送路を接続断状態とする短絡切離し動作を行い、短絡発生場所をループ伝送路から切り離す短絡切離しを行うようにしたため、ループ伝送路の短絡箇所を切り離すことで、切離しを行った切離し装置の手前側のループ伝送路に接続されている感知器や発信機等による監視を正常に継続させることができる。
【００３０】
（短絡時の短絡箇所特定による効果）
また、短絡切離し装置は、短絡切離し動作を行った場合に短絡切離し動作信号を受信機に送信し、受信機は、始端側から受信した短絡切離し動作信号をもとに始端側短絡切離し装置を特定し、終端側から受信した短絡切離し動作信号をもとに終端側短絡切離し装置を特定し、始端側短絡切離し装置と終端側短絡切離し装置の間に断線箇所があることを特定した接続順番情報を記憶するようにしたため、ループ伝送路の短絡切離し状態にある２台の短絡切離し装置及びその間の短絡位置を簡単且つ正確に把握し、短絡位置の把握により修復作業を効率良く進めることができる。
【００３１】
（短絡切離し装置の突入電流制限構成による効果）
また、短絡切離し装置は、ループ伝送路を接続断とするスイッチと、スイッチと直列に接続された電流制限抵抗と、電流制限抵抗に並列接続された電流制限解除スイッチとを備え、スイッチによりループ伝送路を接続した場合に電流制限抵抗を介して１次側から２次側に電源を供給して電流制限し、所定の突入電流設定時間が経過したときに電流制限解除スイッチによりループ伝送路を接続して電流制限を解除するようにしたため、短絡切離し装置は受信機からの起動呼出信号によりスイッチをオンすると２次側に向けて突入電流が流れるが、電流制限抵抗により突入電流が制限され、短絡切離し装置のスイッチオンによる突入電流を受信機側で過電流と誤って判断してしまうことを確実に防止可能とする。
【００３２】
（短絡切離し装置の断線及び短絡の報知による効果）
また、短絡切離し装置は、短絡切離し動作を行った場合に短絡切離しを報知し、受信機は、断線検出時に始端側最後の切離し装置と終端側最後の切離し装置に最後の短絡切離し装置を示す信号を送信し、最後の短絡切離し装置を示す信号を受信した短絡切離し装置は、断線を報知するようにしたため、ループ伝送路の短絡発生で短絡切離しを行った短絡切離し装置はその旨を表示灯の作動等で報知し、また、ループ伝送路の断線箇所の両側に位置する切離し装置で断線を表示灯の作動等で報知することで、ループ伝送路の短絡箇所又は断線箇所の現場での特定を簡単且つ容易に行うことを可能とする。
【００３３】
（ノードマップ表示の効果）
また、受信機は、接続順番情報に関するノードマップを生成して表示するようにしたため、受信機におけるノードマップの表示により、複数の短絡切離し装置が設けられたループ伝送路が正常に機能していること、複数の短絡切離し装置の受信機に対する接続順番、断線発生時の断線箇所、短絡発生時の箇所を簡単且つ正確に知り、ループ伝送路の適切な運用管理を可能にして設備の信頼性を高めることができる。
【００３４】
（分散システムの中継盤による効果）
また、本発明の別の形態にあっては、受信機に対しネットワーク回線を介して１又は複数の中継盤が接続され、中継盤に接続されたループ伝送路に火災感知器及び短絡切離し装置を含む端末を接続して火災を監視し、中継盤で火災を検出した場合に受信機に通知して火災警報を出力させる分散システムが構成されており、切離し装置は、ループ伝送路において固有のアドレスを有し、非給電状態及び給電開始時に伝送路を接続断状態とし、固有のアドレスを含む起動呼出信号を中継盤から受信すると伝送路を接続状態とするとともに起動応答信号を送信し、中継盤は、起動応答信号を受信した順に切離し装置が配置されていることを中継盤接続順番情報として受信機に送信し、受信機は、中継盤接続順番情報に関する中継盤ノードマップを生成して表示するようにしたため、受信機に接続された中継盤から引き出されたループ伝送路の短絡切離し装置についても、中継盤に接続したループ伝送路における短絡切離し装置の接続順番を示すノードマップが表示され、短絡切離し装置の接続順番による動作状態を簡単且つ正確に知ることができる。
【００３５】
（中継盤の接続順番情報に基づく断線表示と短絡表示の効果）
また、伝送路の断線発生時に、中継盤は、断線検出を行い、短絡切離し装置の応答信号と中継盤接続順番情報をもとに断線箇所を特定した中継盤接続順番情報を受信機に送信し、伝送路の短絡発生時に、短絡切離し装置は、短絡切離し動作を行った場合に短絡切離し動作信号を中継盤に送信し、中継盤は、短絡切離し動作信号と接続順番情報をもとに短絡箇所を特定した中継盤接続順番情報を受信機に送信し、受信機は、中継盤接続順番情報に関する中継盤ノードマップを生成して表示するようにしたため、受信機に接続された中継盤から引き出されたループ伝送路の短絡切離し装置についても、中継盤に接続したループ伝送路の短絡箇所又は断線箇所を示すノードマップが表示され、短絡箇所又は断線箇所を簡単且つ正確に把握して修復作業を効率良く進めることができる。
【図面の簡単な説明】
【００３６】
【図１】ループ伝送路が正常な状態で受信機が立ち上げられた場合の伝送部と端末の詳細を示したブロック図
【図２】ループ伝送路が正常な場合の受信機立上げ時の伝送部と端末の詳細を示したブロック図
【図３】伝送部により送受信される下り信号と上り信号を示したタイムチャート
【図４】短絡切離し装置の実施形態を示した回路ブロック図
【図５】ループ伝送路が正常な場合に表示されるノードマップを示した説明図
【図６】ループ伝送路に短絡がある場合の伝送部と端末の詳細を示したブロック図
【図７】ループ伝送路に短絡がある場合に表示されるノードマップを示した説明図
【図８】ループ伝送路の２箇所に短絡がある場合の伝送部と端末の詳細を示したブロック図
【図９】ループ伝送路の２箇所に短絡がある場合に表示されるノードマップを示した説明図
【図１０】ループ伝送路に断線がある場合の伝送部と端末の詳細を示したブロック図
【図１１】ループ伝送路に断線がある場合に表示されるノードマップを示した説明図
【図１２】ループ伝送路の２箇所に断線がある場合の伝送部と端末の詳細を示したブロック図
【図１３】ループ伝送路の２箇所に断線がある場合に表示されるノードマップを示した説明図
【図１４】受信機立上げ制御を示したフローチャート
【図１５】短絡切離し装置立上げ制御を示したフローチャート
【図１６】受信機に対し中継盤が通信回線で接続された分散システムを構成する火災報知設備の実施形態を示した説明図
【図１７】ループ伝送路を用いた従来の報知設備を示した説明図
【発明を実施するための形態】
【００３７】
［火災報知設備］
（火災報知設備の概要）
図１はループ伝送路により火災監視を行う火災報知設備の概要を示した説明図である。図１に示すように、火災報知設備が設置された建物の一階の管理人室などには例えばＲ型の受信機１０が設置され、受信機１０から警戒区域に対し一対の信号線１４ａ，１４ｂを用いたループ伝送路１２が例えば２回線引き出されている。
【００３８】
ループ伝送路１２には固有のアドレスが設定された伝送機能を有する複数の火災感知器１６が接続されている。また、火災感知器１６の間のループ伝送路１２には、ループ伝送路１２の短絡を検出して切り離すショートサーキットアイソレータとして知られた短絡切離し装置１８が接続され、短絡切離し装置１８は火災感知器１６と同様に固有のアドレスが設定され、伝送機能を有する。
【００３９】
ここで、ループ伝送路１２に接続される火災感知器１６及び短絡切離し装置１８を含む端末に設定される最大アドレス数は例えば２５５としており、ループ伝送路１２には最大２５４台の火災感知器１６及び短絡切離し装置１８を含む端末が接続できる。
【００４０】
また、図１にあっては、説明を分かり易くするため、火災感知器１６を６台、短絡切離し装置１８を５台接続とし、火災感知器１６及び短絡切離し装置１８のアドレスをループ伝送路１２の始端側からＡ１，Ａ２・・・Ａ１１としている。
【００４１】
（受信機の概要）
受信機１０には、メインＣＰＵ２０と複数のサブＣＰＵ基板２２−１，２２−２が設けられ、サブＣＰＵ基板２２−１，２２−２にはサブＣＰＵ２４と伝送部２６が設けられている。メインＣＰＵ２０とサブＣＰＵ２４は、シリアル転送バス２５で接続されており、相互にデータを送受信する。
【００４２】
メインＣＰＵ２０には、液晶表示パネル等を用いたタッチパネル付きのディスプレイ２７、火災、ガス漏れ、障害の代表灯、ＬＥＤ表示灯等が設けられた表示部２８、火災監視に必要な各種のスイッチが設けられた操作部３０、スピーカが設けられた音響警報部３２、及び、移報部３４が接続されている。また、メインＣＰＵ２０にはプログラムの実行により実現される機能として火報制御部３８が設けられる。
【００４３】
サブＣＰＵ基板２２−１，２２−２に設けられたサブＣＰＵ２４にはプログラムの実行により実現される機能として伝送制御部３６が設けられる。伝送制御部３６は伝送部２６に指示してループ伝送路１２に対し信号を送受信させる受信機立上げ時の立上げ制御及び立上げ後の伝送制御を行う。
【００４４】
本実施形態の伝送制御部３６は、受信機１０の立上げ時に、ループ伝送路１２に始端側から電源を供給して端末の種別情報を収集する種別読込制御と端末状態を収集する端末呼出制御を繰り返す立上げ制御により、短絡切離し装置１８のスイッチを順番にオンし、短絡切離し装置１８のループ伝送路１２における接続順番情報を検出し、短絡切離し装置１８の接続順番を示すノードマップを生成してディスプレイ３７に表示させる制御を行う。
【００４５】
また、ループ伝送路１２に短絡又は断線が発生していた場合には、受信機１０の立上げ時に、伝送制御部３６は、ループ伝送路１２に始端側から電源を供給して種別読込制御と端末呼出制御による始端側立上げ制御の繰り返しにより、短絡切離し装置１８のスイッチを順番にオンし、短絡切離し装置１８のループ伝送路１２における始端側からの始端側接続順番情報を検出するが、ループ伝送路１２の短絡又は断線によりループ伝送路１２の終端に電源供給による電圧が加わらないことから線路異常を検出し、ループ伝送路１２に終端側から電源を供給して種別読込制御と端末呼出制御を繰り返す終端側立上げ制御により、短絡切離し装置１８のループ伝送路１２における終端側接続順番情報を検出し、始端側接続順番情報と始端側順番情報に基づき、短絡切離し装置１８の接続順番と短絡又は断線位置を示すノードマップを生成してディスプレイ３７に表示させる制御を行う。
【００４６】
伝送制御部３６は立上げ制御を完了すると、ループ伝送路１２が正常な場合は、ループ伝送路の始端側から信号を送受信する始端側伝送制御により火災を監視する。
また、運用中に、ループ伝送路１２の短絡又は断線による線路障害を検出すると、始端側伝送制御に加え、ループ伝送路１２の終端側から信号を送受信する終端側伝送制御により火災を監視する。
【００４７】
接続順番情報と始端側の短絡切り離し装置１８の応答及び終端側の短絡切り離し装置１８の応答に基づき、短絡切離し装置１８の接続順番と短絡又は断線位置を示すノードマップを生成してディスプレイ３７に表示させる制御を行う。
【００４８】
伝送部２６は伝送制御部３６の伝送制御によりサブＣＰＵ２４から出力される０〜５Ｖで変化する端末制御信号を所定電圧範囲、例えば２７Ｖ〜３６Ｖの電圧範囲で変化する電圧制御信号（電圧パルス信号）に変換して下り信号としてループ伝送路１２に出力する。
【００４９】
これに対し火災感知器１６及び短絡切離し装置１８から受信機１０に対する端末応答信号は、ループ伝送路１２に伝送データのビット１のタイミングで信号電流を流し、いわゆる電流パルス列となる電流応答信号が上り信号として受信機１０で受信される。このため伝送部２６はループ伝送路１２から受信した電流応答信号を０〜５Ｖの端末応答信号に変換してサブＣＰＵ２４に出力する。
【００５０】
ループ伝送路１２が正常な場合の受信機１０の火報制御部３６による火災監視制御は次のようになる。サブＣＰＵ２４−１の伝送制御部３６は、通常の監視中にあっては、一定周期Ｔ毎に、伝送部２６に指示して、一括ＡＤ変換コマンドを含むブロードキャストの一括ＡＤ変換信号を送信しており、この一括ＡＤ変換信号を受信した火災感知器１６は、検煙部から出力されたアナログ煙濃度信号をＡＤ変換によりデジタル煙濃度信号に変化して検出データとして保持する。続いて、伝送制御部３６は伝送部２６に指示して、端末アドレスを順次指定したポーリングコマンドを含む呼出信号を送信している。
【００５１】
火災感知器１６は自己アドレスに一致するアドレスを持つ呼出信号を受信すると、そのとき保持している煙濃度データを含む呼出応答信号を受信機１０に送信する。
【００５２】
また、火災感知器１６には注意表示閾値として例えば１種感度相当の煙濃度閾値、例えば煙濃度閾値５．０％／ｍが設定されており、検出された煙濃度データが注意表示閾値以上又は注意表示閾値を超えると火災発報と判断し、受信機１０に対し火災割込み信号を送信する。
【００５３】
伝送制御部３６は伝送部２６を介して火災割込み信号を受信すると、グループ検索コマンド信号を送信して火災発報した火災感知器１６を含むグループを特定し、続いて、グループ内検索コマンド信号を送信して火災発報した火災感知器１６のアドレスを特定して煙濃度データを集中的に収集し、シリアル転送バス２５を介してメインＣＰＵ２０に送信する。
【００５４】
メインＣＰＵ２０の火報制御部３８は、サブＣＰＵ２４から受信した火報用の煙濃度データを２種感度相当の所定の火報閾値、例えば火報閾値１０％／ｍと比較しており、煙濃度が火報閾値以上又は火報閾値を超えた場合に火災と判断し、火災警報制御を行う。
【００５５】
火報制御部３８による火災警報制御は、表示部２８の火災代表灯を点灯し、音響警報部３２のスピーカから火災発生を示す所定の主音響警報を出力させ、ディスプレイ２７に火災が検出された感知器アドレスに基づき火災発生場所を含む火災警報情報を表示させ、更に、移報部３４により火災移報信号を外部に出力して所定の移報制御等を行わせる。
【００５６】
［伝送部の構成］
図２はループ伝送路が正常な状態で受信機が立ち上げられた場合の伝送部と端末の詳細を示したブロック図である。
【００５７】
図２に示すように、受信機１０に設けられた始端端子Ｌ１，ＬＣ１からは信号回線１４ａ，１４ｂを用いたループ伝送路１２が引き出され、ループ伝送路１２の終端は受信機１０に設けられた終端端子Ｌ２，ＬＣ２に接続され、ループ伝送路１２には火災感知器１６−１〜１６−６が接続され、また火災感知器２６−１〜２６−６の間にはスイッチ４６−１，４６−２を備えた短絡切離し装置１８−１〜１８−５が接続されている。
【００５８】
伝送制御部３６から伝送部２６に対しては、ＤＣ０〜５Ｖで変化する端末制御信号が出力され、伝送部２６から伝送制御部３６にはＤＣ０〜５Ｖで変化する端末応答信号が出力される。伝送部２６の伝送出力側は始端端子Ｌ１、ＬＣ１に接続されている。
【００５９】
また、伝送部２６の伝送出力側は終端スイッチ４２−１，４２−２を介して終端端子Ｌ２，ＬＣ２に接続されている。終端スイッチ４２−１，４２−２は例えばＦＥＴなどの半導体スイッチであり、伝送制御部３６からの制御信号Ｅ４により連動してオン、オフされ、通常時はオフしている。ループ伝送路１２の始端端子Ｌ１，ＬＣ１間には終端電圧検出部４０が設けられ、終端電圧ＶＳ２を検出して始端電圧検出信号Ｅ３を伝送制御部３６に出力する。
【００６０】
伝送制御部３６は伝送部２６に指示し、下り信号となる端末制御信号Ｅ１をループ伝送路１２の始端側に出力し、また、ループ伝送路１２の始端側から受信した上り信号となる端末応答信号Ｅ２を受信する始端側伝送制御を行う。
【００６１】
伝送制御部３６は始端側に対する電源供給から所定時間を経過しても終端電圧ＶＳ２が得られない場合は短絡又は断線よる線路障害を検出し、線路障害を検出すると制御信号Ｅ４により終端スイッチ４２−１，４２−２をオンし、伝送部２６からの端末制御信号Ｅ１をループ伝送路１２の終端へも出力する終端側伝送制御を行う。
【００６２】
図３は伝送部により送受信される端末制御信号と端末応答信号を示したタイムチャートであり、図３（Ａ）に端末制御信号Ｅ１を示し、図３（Ｂ）に端末応答信号Ｅ２を示す。
【００６３】
端末制御信号Ｅ１は、ブロードキャストの一括ＡＤ変換信号に続き、端末アドレスＡ１〜Ａ１１を順次指定した端末制御信号を送信し、伝送周期Ｔ毎に繰り返す。図３（Ａ）の１〜１１の数字は、火災感知器１６−１〜１６−６及び短絡切離し装置１８−１〜１８−５に始端側から順番に設定されたアドレスＡ１〜Ａ１１を示しており、それ以降のアドレスＡ２５４までは図２の場合は未使用となっている。
【００６４】
端末応答信号Ｅ２は、端末制御信号Ｅ１の空き時間のタイミングで火災感知器１６又は短絡切離し装置１８−１〜１８−５から送信されることで受信される。
【００６５】
ここで、本実施形態の伝送部２６が送信する端末制御信号には、種別読込信号と呼出信号があり、これに対し端末側からは種別コードが設定された種別応答信号と端末検出状態が設定された呼出応答信号がある。
【００６６】
［短絡切離し装置］
図４はループ伝送路に設けられる短絡切離し装置の実施形態を示した回路ブロック図である。図４に示すように、短絡切離し装置１８は、伝送部５０、制御部４８、電圧検出部５２、スイッチ４６−１，４６−２、電流制限抵抗５４、電流制限解除スイッチ５６及びダイオード５８−１，５８−２，６０−１，６０−２で構成され、信号線１４ａ，１４ｂからの電源供給又は専用の電源線からの電源供給を受けて動作する。
【００６７】
電圧検出部５２は信号線１４ａ，１４ｂの間の線間電圧を検出して制御部４８に出力する。ループ伝送路１２の終端側となる信号線１４ａ，１４ｂ間に短絡が発生すると、電圧検出部５２による検出電圧は短絡インピーダンスに対応した略０Ｖ付近の電圧に低下する。
【００６８】
制御部４８は、伝送部５０を介して受信機１０の立上げ制御で送信された自己アドレスに一致する種別読込信号（起動呼出信号）を受信すると、伝送部５０に指示して短絡切離し装置を示す所定の種別コードを設定した種別応答信号（起動応答信号）を送信し、スイッチ４６−１，４６−２をオンし、２次側のループ伝送路１２に電源を供給する。
【００６９】
スイッチ４６−１，４６−２をオンすると、２次側のループ伝送路１２に接続している火災感知器１６や短絡切離し装置１８をチャージするために突入電流が流れるが、電流制限抵抗５４を通して流れることで、突入電流を受信機１２で過電流として検出されるレベル以下の電流に制限している。
【００７０】
制御部４８はスイッチ４６−１，４６−２のオンから所定の電流制限時間の経過を判別すると電流制限解除スイッチ５６をオンして電流制限抵抗５４をバイパスし、電流制限を解除する。
【００７１】
また、制御部４８は、伝送部５０を介して受信機１０の立上げ制御及び伝送制御で送信された自己アドレスに一致する呼出信号を受信すると、一括ＡＤ変換信号の受信に伴い検出保持した正常又は短絡等の状態（ステータス）が設定された呼出応答信号を伝送部５０に指示して送信する。
【００７２】
受信機１０からの端末制御信号の送受信は、通常時はループ伝送路の始端側から行われ、短絡又は断線時には終端側から行われることから、ダイオード５８−１，５８−２又はダイオード６０−１，６０−２により始端側及び終端側の信号送受信に伝送部５０が対応できるようにしている。
【００７３】
即ち、始端側からの信号送受信はダイオード５８−１，伝送部５０及びダイオード５８−２を通る入出力回路が使用され、終端側からの信号送受信はダイオード６０−１，伝送部５０及びダイオード６０−２を通る入出力回路が使用される。
【００７４】
また、制御部４８は、電圧検出部５２からの電圧検出信号による検出電圧が所定の短絡閾値電圧以下に低下したことを判別した場合、自己アドレスを指定した呼出信号を受信した場合の呼出応答信号に短絡状態を設定し、伝送部５０に指示して受信機１０に送信し、これにより受信機１０はループ伝送路１２の線路障害を検出して終端スイッチ４２−１，４２−２をオンし、ループ伝送路１２の終端側からも端末制御信号を送信する終端側伝送制御を行う。
【００７５】
次に図２の伝送制御部３６と伝送部２６による受信機立上げ時にノードマップを生成して表示させる立上げ制御を説明する。
【００７６】
［伝送路正常時の立上げ制御］
図２において、受信機１０の電源を立ち上げると、伝送制御部３６は、伝送部２６に指示し、始端側伝送制御を行う。
【００７７】
始端側伝送制御は、伝送部２６からループ伝送路１２の始端端子Ｌ１，ＬＣ１間電源を供給した後に、スイッチ投入信号として機能する種別読込信号の送信と短絡切離し装置からの種別応答信号の受信、及び呼出信号の送信と短絡切離し装置からの呼出応答信号の受信を繰り返す制御を行ってループ伝送路１２の始端からの短絡切離し装置１８−１〜１８−５の接続順番情報を検出する。
【００７８】
始端側伝送制御の詳細は次のようになる。伝送部２６から始端端子Ｌ１，ＬＣ１を介してループ伝送路１２に電源を供給すると、受信機１０の始端から見て１番目の短絡切離し装置１８−１に例えば１５Ｖ以上の電源電圧が供給されて動作状態となるが、スイッチ４６−１，４６−２をオフとしている。なお、短絡切離し装置１８−１までの間に接続している火災感知器１６−１にも電源が供給されて動作状態となる。
【００７９】
続いて、伝送制御部３６は、伝送部２６に指示し、図３（Ａ）に示したように、一括ＡＤ変換信号に続いて、端末アドレスＡ１〜Ａ１１〜Ａ２５４を順次指定した種別読込コマンドが設定された種別読込信号を送信し、１番目の短絡切離し装置１８−１は自己アドレスに一致する種別読込信号を受信する。短絡切離し装置を示す所定の種別コードを設定した種別応答信号を送信した後に、スイッチ４６−１，４６−２をオンし、２番目の短絡切離し装置１８−２に対し電源を供給する。このときループ伝送路１２に短絡は発生していないことから、線路電圧は短絡閾値電圧以下に低下せず、短絡切離し装置１８−１はループ伝送路の正常状態を検出している。
【００８０】
受信機１０の伝送制御部３６は、１番目の短絡切離し装置１８−１からの種別応答信号を伝送部２６を介して受信すると、短絡切離し装置１８−１の接続順番が１番目であることを示す接続順番情報（ＳＣＩ１８−１）を検出する。
【００８１】
続いて、端末制御部３６は、伝送部２６に指示し、図３（Ａ）に示したように、一括ＡＤ変換信号に続いて、端末アドレスＡ１〜Ａ１１〜Ａ２５４を順次指定した呼出コマンドが設定された呼出信号を送信させる。
【００８２】
１番目の短絡切離し装置１８−１は自己アドレスに一致する呼出信号を受信すると、一括ＡＤ変換信号の受信で検出している正常状態を示す呼出応答信号を送信する。受信機１０の伝送制御部３６は、１番目の短絡切離し装置１８−１からの呼出応答信号を、伝送部２６を介して受信すると、短絡切離し装置１８−１が短絡切離しをせずに正常状態にあることを検出する。
【００８３】
以下同様にして、短絡切離し装置１８−２，１８−３，１８−４，１８−５の順番に、電源供給、種別読込信号の受信による種別応答信号の送信とスイッチ４６−１，４６−２のオン、呼出信号に対する正常状態を示す呼出応答信号の送信が繰り返し行われ、受信機１０の伝送制御部３６は短絡切離し装置１８−２，１８−３，１８−４，１８−５からの種別応答信号の受信に基づき、短絡切離し装置１８−２の接続順番が２番目、短絡切離し装置１８−３の接続順番が３番目、短絡切離し装置１８−４の接続順番が４番目、短絡切離し装置１８−５の接続順番が５番目であることを示す接続順番情報（ＳＣＩ１８−１，ＳＣＩ１８−２，ＳＣＩ１８−３，ＳＣＩ１８−４，ＳＣＩ１８−５）を検出する。
【００８４】
短絡切離し装置１８−５のスイッチ４６−１，４６−２がオンすると、終端電圧検出部４０により１５Ｖ以上となる終端電圧ＶＳ２が検出され、これにより伝送制御部３６はループ伝送路１２が正常であることを検出する。
【００８５】
続いて、伝送制御部３６は検出した接続順番情報（ＳＣＩ１８−１，ＳＣＩ１８−２，ＳＣＩ１８−３，ＳＣＩ１８−４，ＳＣＩ１８−５）に基づき、短絡切離し装置１８−１〜１８−５の接続順番を示すノードマップを作成し、図１に示したメインＣＰＵ２０に通知してディスプレイ２７にノードマップを表示させる。
【００８６】
図５はループ伝送路が正常な場合に表示されるノードマップを示した説明図である。図５に示すように、ディスプレイのノードマップ画面６２には、受信機シンボル１０ａからブロック矢印により連結された短絡切離し装置シンボル１８−１ａ〜１８−５ａが受信機立上げ制御で検出された接続順番情報（ＳＣＩ１８−１，ＳＣＩ１８−２，ＳＣ（１８−３，ＳＣＩ１８−４，ＳＣＩ１８−５）に基づいて表示され、また、線路状態６３として「線路正常」が表示される。
【００８７】
このようなノードマップ画面６２を監視員などが見ることで、ループ伝送路１２における短絡切離し装置１８−１〜１８−５がどのような順番で接続されているかを、簡単且つ正確に把握することができる。
【００８８】
［伝送路短絡時］
（短絡発生時）
図６はループ伝送路に短絡がある場合の受信機の伝送部と端末の詳細を示したブロック図、図７はループ伝送路に短絡がある場合に表示されるノードマップを示した説明図である。
【００８９】
伝送制御部３６は、ループ伝送路１２の終端側との間で各機器への呼出信号の送信と応答信号の受信を繰り返す制御を行い、所定電圧以上又は所定電圧を超えるループ伝送路１２の終端電圧ＶＳ２が検出されなかった場合に、ループ伝送路１２の短絡による線路障害と判断し、終端スイッチ４２−１，４２−２をオンして伝送部２６の伝送出力側を終端端子Ｌ２，ＬＣ２に接続してループ伝送路１２に終端側から電源を供給する。
【００９０】
また、ループ伝送路１２の始端側から短絡状態を示す呼出応答信号（短絡切離し動作信号）と正常時の接続順番情報をもとに短絡切離し動作信号を送信した短絡切離し装置までの始端側接続順番情報を検出する。また、ループ伝送路１２の終端側から短絡状態を示す呼出応答信号（短絡切離し動作信号）と正常時の接続順番情報をもとに短絡切離し動作信号を送信した短絡切離し装置までの終端側接続順番情報を検出する。
【００９１】
詳細に説明すると次のようになる。図６に示すように、ループ伝送路１２に接続された短絡切離し装置１８−３と短絡切離し装置１８−４の間で短絡６４が発生したとする。
【００９２】
短絡６４により短絡電流が流れ、短絡切離し装置１８−３の線間電圧が大きく低下して所定の短絡閾値電圧以下となることで短絡を検出し、スイッチ４６をオフに戻して短絡６４の発生側を切り離すと共に、短絡状態を示す呼出応答信号（短絡切離し動作信号）を受信機１０に送信する。
【００９３】
受信機１０の伝送制御部３６は、短絡切離し装置１８−３からの呼出応答信号を受信して短絡状態を検出し、更に、所定時間後に終端電圧検出部４０により所定電圧を超える終端電圧ＶＳ２が検出されないことからループ伝送路１２の短絡による線路異常を検出する。
【００９４】
正常時の接続順番情報をもとに短絡切離し動作信号を送信した短絡切離し装置までの始端側接続順番情報である１番目の短絡切離し装置１８−１から短絡を検出した３番目の短絡切離し装置１８−３までの始端側接続順番情報（ＳＣＩ１８−１，ＳＣＩ１８−２、ＳＣＩ１８−３）が検出されている。
【００９５】
続いて、線路異常を検出した伝送制御部３６は終端側制御を開始し、終端スイッチ４２−１，４２−２をオンすることで、ループ伝送路１２の終端端子Ｌ２，ＬＣ２間に電源を供給し、これにより終端側から１番目の短絡切離し装置１８−５に電源を供給して動作状態とする。
【００９６】
動作状態となった短絡切離し装置１８−５は、種別読込信号を受信して種別応答信号を送信した後にスイッチ４６−１，４６−２をオンして次の短絡切離し装置１８−４に電源を供給して動作状態とし、続いて短絡切離し装置１８−５は呼出信号を受信して正常状態を示す呼出応答信号を送信する。
【００９７】
動作状態となった短絡切離し装置１８−４は、種別読込信号を受信してスイッチ４６−１，４６−２をオンすると、短絡６４により短絡電流が流れ、短絡切離し装置１８−４の線間電圧が大きく低下して所定の短絡閾値電圧以下となることで短絡を検出し、スイッチ４６をオフに戻して短絡６４の発生側を切り離すと共に、短絡状態を示す呼出応答信号（短絡切離し動作信号）を受信機１０に送信する。
【００９８】
伝送制御部３６は、このような終端側立上げ制御により、終端から１番目の短絡切離し装置１８−５と短絡状態を検出した２番目の短絡切離し装置１８−４のループ伝送路１２の終端からの接続順番を示す終端側接続情報（ＳＣＩ１８−５，ＳＣＩ１８−４）を検出する。
【００９９】
また、上記のような終端側制御を行わず、終端側の短絡切り離し装置に対して一斉起動信号を複数回送信して、終端側の短絡切り離し装置を全て起動させ、短絡の直近の短絡切り離し装置から短絡状態を示す呼出応答信号（短絡切離し動作信号）を受信機１０に送信させても良い。この場合、正常時の接続順番情報をもとに短絡切離し動作信号を送信した短絡切離し装置までの終端側接続順番情報を検出する。
【０１００】
続いて、伝送制御部３６は、検出された始端側順番情報（ＳＣＩ１８−１，ＳＣＩ１８−２、ＳＣＩ１８−３）と終端側接続情報（ＳＣＩ１８−５，ＳＣＩ１８−４）を比較し、両者の最後の接続順番から隣接した短絡切離し装置１８−３，１８−４であることを判定し、その間を短絡６４の発生位置として検出する。
【０１０１】
ここで、短絡切離し装置１８−３，１８−４の端末アドレスはＡ６，Ａ８であり、種別コードが同じであることから、間に同じ種別コードの端末アドレスが存在しないことで、短絡切離し装置１８−３，１８−４は隣接し、その間に短絡６４の発生位置があることを検出できる。
【０１０２】
伝送制御部３６は検出された始端側順番情報（ＳＣＩ１８−１，ＳＣＩ１８−２、ＳＣＩ１８−３）と終端側接続情報（ＳＣＩ１８−５，ＳＣＩ１８−４）に基づき、図７に示すノードマップ画面６２をディスプレイに表示させる。
【０１０３】
図７のノードマップ画面６２は、受信機シンボル１０ａの始端側から始端側順番情報（ＳＣＩ１８−１，ＳＣＩ１８−２、ＳＣＩ１８−３）に基づき短絡切離し装置シンボル１８−１ａ〜１８−３ａがブロック矢印で連結して表示され、受信機シンボル１０ａの終端側から終端側接続情報（ＳＣＩ１８−５，ＳＣＩ１８−４）に基づき短絡切離し装置シンボル１８−５ａ，１８−４ａがブロック矢印で連結して表示され、短絡切離し装置１８−３，１８−４の間に短絡シンボル６４ａが表示される。また画面には線路状態６３として「線路障害  短絡」が表示される。
【０１０４】
図７のようなノードマップ画面６２を監視員等が見ることで、ループ伝送路１２に短絡に起因した線路異常が発生していることが分かり、また、短絡の発生位置が表示されることで、これを確認して効率良く修復作業を進めることができる。
【０１０５】
また、ループ伝送路１２が正常な状態での受信機立上げ制御により図５のロードマップ画面６２のロードマップが生成された状態で、運用中に、ループ伝送路１２に短絡が発生して、始端側伝送制御に終端側伝送制御が加わった場合には、図７に示すノードマップ画面６２が表示され、簡単且つ確実に短絡箇所を確認して効率良く修復作業を進めることができる。
【０１０６】
（２箇所短絡発生時）
図８はループ伝送路の２箇所に短絡がある場合の伝送部と端末の詳細を示したブロック図、図９はループ伝送路の２箇所に短絡がある場合に表示されるノードマップを示した説明図である。
【０１０７】
図８に示すように、ループ伝送路１２における短絡切離し装置１８−２，１８−３の間、及び短絡切離し装置１８−３，１８−４の間の２箇所で短絡６４−１，６４−２が発生したとする。
【０１０８】
短絡切離し装置１８−２の線間電圧が大きく低下して所定の短絡閾値電圧以下となることで短絡を検出し、スイッチ４６をオフに戻して短絡６４の発生側を切り離すと共に、短絡状態を設定した呼出応答信号を受信機１０に送信する。
【０１０９】
受信機１０の伝送制御部３６は、短絡切離し装置１８−２からの呼出応答信号を受信して短絡状態を検出し、更に、所定時間後に終端電圧検出部４０により所定電圧を超える終端電圧ＶＳ２が検出されないことからループ伝送路１２の線路異常を検出し、また、始端側接続順番情報（ＳＣＩ１８−１，ＳＣＩ１８−２）を検出する。
【０１１０】
続いて、伝送制御部３６は、終端側制御を開始し、終端スイッチ４２−１，４２−２をオンすることで、ループ伝送路１２の終端端子Ｌ２，ＬＣ２間に電源を供給し、これにより終端側から１番目の短絡切離し装置１８−５に電源を供給して動作状態とする。
【０１１１】
動作状態となった短絡切離し装置１８−５は、種別読込信号を受信して種別応答信号を送信した後にスイッチ４６−１，４６−２をオンして次の短絡切離し装置１８−４に電源を供給して動作状態とし、続いて短絡切離し装置１８−５は呼出信号を受信して正常状態を示す呼出応答信号を送信する。
【０１１２】
動作状態となった短絡切離し装置１８−４は、種別読込信号を受信してスイッチ４６−１，４６−２をオンすると、短絡６４−２により短絡電流が流れ、短絡切離し装置１８−４の線間電圧が大きく低下して所定の短絡閾値電圧以下となることで短絡を検出し、スイッチ４６をオフに戻して短絡６４−２の発生側を切り離すと共に、短絡状態を設定した呼出応答信号を受信機１０に送信する。
【０１１３】
伝送制御部３６は、終端側制御によりループ伝送路１２の終端側の短絡切離し装置１８−５から短絡状態を検出した短絡切離し装置１８−４までの接続順番を示す終端側接続情報（ＳＣＩ１８−５，ＳＣＩ１８−４）を検出する。また、端末制御部３６は、短絡切離し装置１８−２，１８−４により短絡切離し装置１８−３がループ伝送路１２から切り離されていることを示す切離情報（ＳＣＴ１８−３）を検出する。
【０１１４】
また、上記のような終端側制御を行わず、終端側の短絡切り離し装置に対して一斉起動信号を複数回送信して、終端側の短絡切り離し装置を全て起動させ、短絡の直近の短絡切り離し装置から短絡状態を示す呼出応答信号（短絡切離し動作信号）を送信させても良い。これにより、終端側接続情報（ＳＣＩ１８−５，ＳＣＩ１８−４）を検出する。また、端末制御部３６は、短絡切離し装置１８−２，１８−４により短絡切離し装置１８−３がループ伝送路１２から切り離されていることを示す切離情報（ＳＣＴ１８−３）を検出する。
【０１１５】
続いて、伝送制御部３６は始端側順番情報（ＳＣＩ１８−１，ＳＣＩ１８−２、ＳＣＩ１８−３）と終端側接続情報（ＳＣＩ１８−５，ＳＣＩ１８−４）を比較し、両者の末尾の端末アドレスから隣接していない短絡切離し装置１８−２，１８−４であり、その間に切離し情報（ＳＣＩ１８−３）に基づく短絡切離し装置１８−３ａが位置していることから、短絡切離し装置１８−２，１８−３の間および短絡切離し装置１８−４，１８−３の間を短絡位置６４−１，６４−２と検出する。
【０１１６】
続いて、始端側順番情報（ＳＣＩ１８−１，ＳＣＩ１８−２）、終端側接続情報（ＳＣＩ１８−５，ＳＣＩ１８−４）及び切離し情報（ＳＣＩ１８−３）に基づき、図９に示すノードマップ画面６２をディスプレイに表示させる。
【０１１７】
図９のノードマップ画面６２は、受信機シンボル１０ａの始端側から始端側順番情報（ＳＣＩ１８−１，ＳＣＩ１８−２）に基づき短絡切離し装置シンボル１８−１ａ，１８−２ａがブロック矢印で連結して表示され、受信機シンボル１０ａの終端側から終端側接続情報（ＳＣＩ１８−５，ＳＣＩ１８−４）に基づき短絡切離し装置シンボル１８−５ａ，１８−４ａがブロック矢印で連結して表示され、切離し情報（ＳＣＩ１８−３）に基づき短絡切離し装置シンボル１８ａが孤立して表示され、更に、短絡切離し装置シンボル１８−２ａ，１８−３ａの間及び、短絡切離し装置シンボル１８−４ａ，１８−３ａの間に短絡シンボル６４−１ａ，６４−２ａが表示される。また画面には線路状態６３として「線路障害  短絡」が表示される。
【０１１８】
図９のようなノードマップ画面６２を監視員等が見ることで、ループ伝送路１２に短絡に起因した線路異常が発生していることが分かり、また、２箇所の短絡の発生位置が表示されることで、これを確認して効率良く修復作業を進めることができる。
【０１１９】
［伝送路断線時の制御］
（断線発生時）
図１０はループ伝送路に断線がある場合の伝送部と端末の詳細を示したブロック図、図１１はループ伝送路に断線がある場合に表示されるノードマップを示した説明図である。
端末制御部３６は、所定電圧以上又は所定電圧を超えるループ伝送路１２の終端電圧ＶＳ２が検出されなかった場合に、短絡状態を示す呼出応答信号（短絡切離し動作信号）を受信していないことから、ループ伝送路１２の断線による線路障害と判断し、終端側制御を行う。
【０１２０】
伝送制御部３６は、ループ伝送路１２の始端側との間で呼出信号の送信と呼出応答信号の受信を繰り返す制御を行って、ループ伝送路１２の始端側から呼出応答信号を送信した短絡切離し装置群を特定し、正常時の接続順番情報をもとに始端側接続順番情報を検出する。
【０１２１】
伝送制御部３６による終端側制御は、終端スイッチ４２−１，４２−２をオンして伝送部２６の伝送出力側を終端端子Ｌ２，ＬＣ２に接続してループ伝送路１２に終端側から電源を供給する。続いて、伝送制御部３６は、ループ伝送路１２の終端側との間で呼出信号の送信と呼出応答信号の受信を繰り返す制御を行って、ループ伝送路１２の終端側から呼出応答信号を送信した短絡切離し装置群を特定し、正常時の接続順番情報をもとに終端側接続順番情報を検出する。
【０１２２】
詳細に説明すると次のようになる。図１０に示すように、ループ伝送路１２に接続された短絡切離し装置１８−３と短絡切離し装置１８−４の間で断線６６が発生したとする。
【０１２３】
受信機１０の伝送制御部３６は、所定時間後に終端電圧検出部４０により所定電圧を超える終端電圧ＶＳ２が検出されないことからループ伝送路１２の線路異常を検出し、また、呼出応答信号により短絡状態が検出されていないことから、断線による線路異常を検出する。更に、呼出信号の送信と呼出応答信号の受信を繰り返す制御を行って、呼出応答信号を送信した短絡切り離し装置群情報と正常時の接続順番情報をもとに接続順番情報（ＳＣＩ１８−１，ＳＣＩ１８−２、ＳＣＩ１８−３）を始端側順番情報として検出する。
【０１２４】
続いて、端末制御部３６は終端側制御を開始し、終端スイッチ４２−１，４２−２をオンすることで、ループ伝送路１２の終端端子Ｌ２，ＬＣ２間に電源を供給し、これにより終端側から１番目の短絡切離し装置１８−５に電源を供給して動作状態とする。
【０１２５】
動作状態となった短絡切離し装置１８−５は、種別読込信号を受信して種別応答信号を送信した後にスイッチ４６−１，４６−２をオンして次の短絡切離し装置１８−４に電源を供給して動作状態とし、続いて短絡切離し装置１８−５は呼出信号を受信して正常状態を示す呼出応答信号を送信する。
【０１２６】
動作状態となった短絡切離し装置１８−４は、同様に、種別読込信号を受信して種別応答信号を送信した後にスイッチ４６−１，４６−２をオンして次の短絡切離し装置１８−４に電源を供給して動作状態とし、続いて短絡切離し装置１８−５は呼出信号を受信して正常状態を示す呼出応答信号を送信する。伝送制御部３６の終端側制御により、正常状態を応答した短絡切離し装置１８−５，１８−４のループ伝送路１２の終端側からの接続順番を示す終端側接続情報（ＳＣＩ１８−５，ＳＣＩ１８−４）が検出される。
【０１２７】
また、上記のような終端側制御を行わず、終端側の短絡切り離し装置に対して一斉起動信号を複数回送信して、終端側の短絡切り離し装置を全て起動させ、呼出信号の送信と呼出応答信号の受信を繰り返す制御を行って、呼出応答信号を送信した短絡切り離し装置群情報と正常時の接続順番情報をもとに断線直近の短絡切離し装置までの終端側接続順番情報を検出しても良い。
【０１２８】
続いて、伝送制御部３６は始端側順番情報（ＳＣＩ１８−１，ＳＣＩ１８−２、ＳＣＩ１８−３）と終端側接続情報（ＳＣＩ１８−５，ＳＣＩ１８−４）を比較し、両者の最後の番号が隣接した短絡切離し装置１８−３，１８−４であることを判定し、その間を断線６４の発生位置として検出する。
【０１２９】
続いて、伝送制御部３６は検出された始端側順番情報（ＳＣＩ１８−１，ＳＣＩ１８−２、ＳＣＩ１８−３）と終端側接続情報（ＳＣＩ１８−５，ＳＣＩ１８−４）に基づき、図１１に示すノードマップ画面６２をディスプレイに表示させる。
【０１３０】
図１１のノードマップ画面６２は、受信機シンボル１０ａの始端側から始端側順番情報（ＳＣＩ１８−１，ＳＣＩ１８−２、ＳＣＩ１８−３）に基づき短絡切離し装置シンボル１８−１ａ〜１８−３ａがブロック矢印で連結して表示され、受信機シンボル１０ａの終端側から終端側接続情報（ＳＣＩ１８−５，ＳＣＩ１８−４）に基づき短絡切離し装置シンボル１８−５ａ，１８−４ａがブロック矢印で連結して表示され、短絡切離し装置１８−３，１８−４の間に断線シンボル６６ａが表示される。また画面には線路状態６３として「線路障害  断線」が表示される。
【０１３１】
図１１のようなノードマップ画面６２を監視員等が見ることで、ループ伝送路１２に断線に起因した線路異常が発生していることが分かり、また、断線の発生位置が表示されることで、これを確認して効率良く修復作業を進めることができる。
【０１３２】
また、ループ伝送路１２が正常な状態での受信機立上げ制御により図５のロードマップ画面６２のロードマップが生成された状態で、運用中に、ループ伝送路１２に断線が発生して、始端側伝送制御に終端側伝送制御が加わった場合には図１１に示すノードマップ画面６２が表示され、簡単且つ確実に断線箇所を確認して効率良く修復作業を進めることができる。
【０１３３】
（２箇所断線発生時）
図１２はループ伝送路の２箇所に断線がある場合伝送部と端末の詳細を示したブロック図、図１３はループ伝送路の２箇所に断線がある場合に表示されるノードマップを示した説明図である。
【０１３４】
図１２に示すように、ループ伝送路１２における短絡切離し装置１８−２，１８−３の間、及び短絡切離し装置１８−３，１８−４の間の２箇所で断線６６−１，６６−２が発生したとする。
【０１３５】
受信機１０の伝送制御部３６は、所定時間後に終端電圧検出部４０により所定電圧を超える終端電圧ＶＳ２が検出されないことからループ伝送路１２の線路異常を検出し、また、呼出応答信号により短絡状態は検出されていないことから、断線による線路異常を検出する。
【０１３６】
また、伝送制御部３６は、始端側伝送制御により正常状態を応答した短絡切離し装置１８−１，１８−２に基づきループ伝送路１２の始端側からの接続順番を示す始端側接続順番情報（ＳＣＩ１８−１，ＳＣＩ１８−２，ＳＣＩ１８−３）を検出する。
【０１３７】
続いて、線路異常を検出した伝送制御部３６は終端側制御を開始し、終端スイッチ４２−１，４２−２をオンすることで、ループ伝送路１２の終端端子Ｌ２，ＬＣ２間に電源を供給し、これにより終端側から１番目の短絡切離し装置１８−５に電源を供給して動作状態とする。
【０１３８】
動作状態となった短絡切離し装置１８−５は、種別読込信号を受信して種別応答信号を送信した後にスイッチ４６−１，４６−２をオンして次の短絡切離し装置１８−４に電源を供給して動作状態とし、続いて短絡切離し装置１８−５は呼出信号を受信して正常状態を示す呼出応答信号を送信する。
【０１３９】
伝送制御部３６は、終端側伝送制御により正常状態を応答した短絡切離し装置１８−５，１８−４に基づきループ伝送路１２の始端側からの接続順番を示す終端側接続情報（ＳＣＩ１８−５，ＳＣＩ１８−４）を検出する。また、伝送制御部３６は断線により種別応答信号及び呼出応答信号が受信されていない短絡切離し装置１８−３を示す孤立情報（ＳＣＩ１８−３）を検出する。
【０１４０】
また、上記のような終端側制御を行わず、終端側の短絡切り離し装置に対して一斉起動信号を複数回送信して、終端側の短絡切り離し装置を全て起動させ、呼出信号の送信と呼出応答信号の受信を繰り返す制御を行って、呼出応答信号を送信した短絡切り離し装置群情報と正常時の接続順番情報をもとに断線直近の短絡切離し装置までの終端側接続順番情報（ＳＣＩ１８−５，ＳＣＩ１８−４）を検出しても良い。また、伝送制御部３６は断線により種別応答信号及び呼出応答信号が受信されていない短絡切離し装置１８−３を示す孤立情報（ＳＣＩ１８−３）を検出する。
【０１４１】
続いて、伝送制御部３６は始端側順番情報（ＳＣＩ１８−１，ＳＣＩ１８−２）と終端側接続情報（ＳＣＩ１８−５，ＳＣＩ１８−４）を比較し、両者の末尾の端末アドレスから隣接していない短絡切離し装置１８−２，１８−４であることを判定し、孤立情報（ＳＣＩ１８−３）に基づき短絡切離し装置１８−２，１８−３の間および短絡切離し装置１８−３，１８−４の間の２箇所で断線６６−１，６６−２が発生していることを検出する。
【０１４２】
続いて、伝送制御部３６は検出された始端側順番情報（ＳＣＩ１８−１，ＳＣＩ１８−２）、終端側接続情報（ＳＣＩ１８−５，ＳＣＩ１８−４）及び孤立情報（ＳＣＩ１８−３）に基づき、図１３に示すノードマップ画面６２をディスプレイに表示させる。
【０１４３】
図１３のノードマップ画面６２は、受信機シンボル１０ａの始端側から始端側順番情報（ＳＣＩ１８−１，ＳＣＩ１８−２）に基づき短絡切離し装置シンボル１８−１ａ，１８−２ａがブロック矢印で連結して表示され、受信機シンボル１０ａの終端側から終端側接続情報（ＳＣＩ１８−５，ＳＣＩ１８−４）に基づき短絡切離し装置シンボル１８−５ａ，１８−４ａがブロック矢印で連結して表示され、孤立情報（ＳＣＩ１８−３）に基づき短絡切離し装置シンボル１８−３ａが孤立して表示され、更に、短絡切離し装置シンボル１８−２ａ，１８−３ａの間及び、短絡切離し装置シンボル１８−４ａ，１８−３ａの間に断線シンボル６６−１ａ，６６−２ａが表示される。また画面には線路状態６３として「線路障害  断線」が表示される。
【０１４４】
図１３のようなノードマップ画面６２を監視員等が見ることで、ループ伝送路１２に断線に起因した線路異常が発生していることが分かり、また、２箇所の断線の発生位置が表示されることで、これを確認して効率良く修復作業を進めることができる。
【０１４５】
［受信機立上げ制御］
図１６は受信機立上げ制御を示したフローチャートであり、伝送制御部３６による制御動作となる。
【０１４６】
（伝送路正常時）
図１６に示すように、受信機１０が電源投入操作等により立ち上がると、伝送制御部３６はステップＳ１で伝送部２６に指示して始端端子Ｌ１，ＬＣ１からループ伝送路１２に電源供給を行い、ループ伝送路１２が正常であったとすると、図２に示したように、１番目の短絡込切離し装置１８−１に電源が供給されて動作状態となるが、スイッチ４６−１，４６−２はオフしている。
【０１４７】
続いて、端末制御部３６はステップＳ２で伝送部２６に指示して種別読込制御を行う。ステップＳ２の種別読込制御は端末アドレスを順次設定した種別読込信号を送信し、種別読込信号の空きタイミングで種別応答信号を受信する。受信機１０から種別読込信号を受信した１番目の短絡切離し装置１８−１は種別応答信号を受信機１０に送信すると共にスイッチ４６−１，４６−２をオンし、２番目の短絡切離し装置１８−２との間のループ伝送路１２に電源を供給する。このときループ伝送路１２は正常であることから短絡切離し装置１８−１は種別応答信号を送信する。
【０１４８】
伝送制御部３６は短絡切離し装置１８−１からの種別応答信号を、伝送部２６を介して受信し、端末は短絡切離し装置１８−１を１番目とする接続順番情報（ＳＣＩ１８−１）を検出する。
【０１４９】
次に、伝送制御部３６は、ステップＳ３で伝送部２６に指示して端末呼出し制御を行う。ステップＳ３の呼出制御は端末アドレスを順次設定した呼出信号を送信し、呼出信号の空きタイミングで呼出応答信号を受信する。受信機１０から呼出信号を受信した１番目の短絡切離し装置１８−１は、スイッチ４６−１，４６−２をオンした後の線間電圧が所定の短絡閾値電圧を下回らなければ正常状態を検出し、正常状態を示す呼出応答信号を受信機１０に送信する。
【０１５０】
続いて、端末制御部３６はステップＳ４に進み、所定の待ち時間が経過するまでは、ステップＳ２〜Ｓ３の処理を繰り返す。ステップＳ２，Ｓ３の処理は、種別読込信号の送信と種別応答信号の受信、及び呼出信号の送信と種別応答信号の受信を繰り返す始端側立上げ制御であり、始端側立上げ制御により短絡切離し装置１８−１に続いて短絡切離し装置１８−２〜１８−５が順次動作してスイッチ４６−１，４６−２をオンしてループ伝送路１２を形成して行くことになり、最後となる短絡切離し装置１８−５のスイッチ４６−１，４６−２がオンするとループ伝送路１２の終端に電源電圧が加わることになる。
【０１５１】
また、ステップＳ２，Ｓ３を繰り返す始端側立上げ制御により端末制御部３６はステップＳ２で短絡切離し装置１８−１〜１８−５のループ伝送路１２の始端からの接続順番を示す始端側接続順番情報を検出する。
【０１５２】
伝送制御部３６はステップＳ４で所定の待ち時間の経過を判別するとステップＳ５に進み、終端電圧検出部４０で検出しているループ伝送路１２の終端電圧ＶＳ２が所定電圧以上であることを判別するとループ伝送路１２は正常と判断してステップＳ１４に進み、ステップＳ２で検出した始端側接続順番情報に基づき、線路正常のノードマップを生成し、ステップＳ１５で例えば図５に示したロードマップをディスプレイに表示させる。
【０１５３】
（伝送路短絡時）
ループ伝送路１２に短絡が発生していた場合には、端末制御部３６は、ステップＳ２，Ｓ３の処理を繰り返す始端側立上げ制御中に短絡状態を示す呼出応答信号（短絡切離し動作信号）を受信しており、そのため短絡状態を示す呼出応答信号（短絡切離し動作信号）を送信した短絡切離し装置までの接続順番を示す始端側接続順番情報を検出する。
【０１５４】
また、端末制御部３６は、始端立上げ制御中にステップＳ４で所定の待ち時間の経過を判別してステップＳ５に進んでも、短絡に対応した短絡切離し装置の切離し動作（スイッチオフ動作）により終端電圧ＶＳ２が所定電圧以下で検出されないことを判別するとステップＳ６に進み、短絡による線路障害と判断する。
【０１５５】
ステップＳ６で線路障害と判断した端末制御部３６は、ステップＳ７で終端スイッチ４２−１，４２−２をオンしてループ伝送路１２の終端端子Ｌ２，ＬＣ２間に電源を供給し、ステップＳ８の種別読込制御とステップＳ９の端末呼出制御による終端立上げ制御をステップＳ１０で所定の待ち時間が経過するまで繰り返す。
【０１５６】
端末制御部３６によるステップＳ８の種別読込制御は、種別読込信号の送信と種別応答信号の受信をループ伝送路１２の終端から行い、ループ伝送１２の終端側からの短絡切離し装置１８−５，１８−４となる接続順番を示す終端側接続順番情報を検出する。
【０１５７】
端末制御部３６によるステップＳ９の端末呼出制御は、呼出信号の送信と呼出応答信号の受信をループ伝送路１２の終端から行い、呼出応答信号から短絡切離し装置の正常又は短絡状態を検出する。
【０１５８】
端末制御部３６はステップＳ１０で所定の待ち時間の経過を判別するとステップＳ１１に進み、ステップＳ９で短絡状態を示す呼出応答信号（短絡切離し動作信号）が受信されていることから、短絡応答ありを判別してステップＳ１２に進み、ステップＳ２で検出した始端側順番情報とステップＳ８で検出した終端側順番情報に基づき、短絡障害による短絡切離し装置１８−１〜１８−５のノードマップを生成し、ステップＳ１５に進み、例えば図７に示した短絡位置を含むノードマップをディスプレイに表示する。
【０１５９】
（伝送路断線時）
ループ伝送路１２に断線が発生していた場合には、端末制御部３６は、ステップＳ２，Ｓ３の処理を繰り返す始端側立上げ制御中に正常状態を示す呼出応答信号を受信しており、そのため正常状態を示す呼出応答信号を送信した短絡切離し装置までの接続順番を示す始端側順番情報を検出する。
【０１６０】
また、端末制御部３６は、始端立上げ制御中にステップＳ４で所定の待ち時間の経過を判別してステップＳ５に進んでも、断線により終端電圧ＶＳ２が所定電圧以下で検出されないことを判別するとステップＳ６に進み、短絡状態が検出されていないことから断線による線路障害と判断する。
【０１６１】
ステップＳ６で線路障害と判断した端末制御部３６は、ステップＳ７で終端スイッチ４２−１，４２−２をオンしてループ伝送路１２の終端端子Ｌ２，ＬＣ２間に電源を供給し、ステップＳ８の種別読込制御とステップＳ９の端末呼出制御による終端立上げ制御をステップＳ１０で所定の待ち時間が経過するまで繰り返す。
【０１６２】
端末制御部３６によるステップＳ８の種別読込制御は、種別読込信号の送信と種別応答信号の受信をループ伝送路１２の終端から行い、ループ伝送１２の終端側からの短絡切離し装置１８−５，１８−４となる接続順番を示す終端側接続順番情報を検出する。
【０１６３】
端末制御部３６によるステップＳ９の端末呼出制御は、呼出信号の送信と呼出応答信号の受信をループ伝送路１２の終端から行い、呼出応答信号から短絡切離し装置の正常又は短絡状態を検出する。
【０１６４】
端末制御部３６はステップＳ１０で所定の待ち時間の経過を判別するとステップＳ１１に進み、断線時にはステップＳ９で短絡状態を示す呼出応答信号（短絡切離し動作信号）は受信されていないことから、短絡応答なしを判別してステップＳ１３に進み、ステップＳ２で検出した始端側順番情報とステップＳ８で検出した終端側順番検出情報に基づき、断線障害による短絡切離し装置１８−１〜１８−５のノードマップを生成し、ステップＳ１５に進み、例えば図１１に示した短絡位置を含むノードマップをディスプレイに表示する。
【０１６５】
［短絡切離し装置の制御］
図１５は短絡切離し装置の立上げ制御を示したフローチャートであり、図４に示した短絡切離し装置１８の制御部４８による制御動作となる。
【０１６６】
図１５に示すように、ループ伝送路１２からの電源供給により動作を開始すると制御部４８はステップＳ２１でスイッチ４６−１，４６−１をオフとしており、ステップＳ２２で自己アドレスに一致する種別読込信号の受信を判別するとステップＳ２３に進み、種別応答信号を送信し、続いてステップＳ２４でスイッチ４６−１，４６−２をオンする。
【０１６７】
続いて、制御部４８はステップＳ２５で所定の突入電流待ち時間の経過を判別するとステップＳ２６に進み、電流制限解除スイッチ５６をオンし、電流制限抵抗５４をバイパスして電流制限を解除する。このためスイッチ４６−１，４６−２をオンしても２次側の端末を充電するために流れる突入電流が制限され、受信機１０側で過電流障害が検出されることを防ぐ。
【０１６８】
続いて、制御部４８は電圧検出部５２で検出している線間電圧を読込んで所定の短絡閾値電圧と比較し、ステップＳ２８で短絡閾値電圧を超えていることを判別するとステップＳ３１に進んで正常状態と判定し、ステップＳ２８で短絡閾値電圧以下であることを判別するとステップＳ２９でスイッチ４６−１，４６−２をオフして短絡側を切離した後にステップＳ３０で短絡状態と判定する。
【０１６９】
続いて、制御部４８はステップＳ３２で伝送部５０を介して自己アドレスに一致する呼出信号の受信を判別するとステップト３３に進み、ステップＳ３１で正常状態を判定している場合は、正常状態を示す呼出応答信号を伝送部５０に指示して受信機１０に送信し、ステップＳ３０で短絡状態を判定している場合は、短絡状態を示す呼出応答信号（短絡切離し動作信号）を伝送部５０に指示して受信機１０に送信する。上記のように、立ち上げ時に断線や短絡が発生していても断線や短絡に応じたノードマップの表示が可能である。
【０１７０】
［受信機と中継盤で構成された分散システムの実施形態］
図１６は受信機に通信ネットワークを介して中継盤を接続した分散型の火災報知設備の概要を示した説明図である。
【０１７１】
監視対象とする施設が複数に分かれるなどして大規模になる場合には、図１７に示すように、防災センター等に設置した受信機１０に加え、例えば建物毎に分けて中継盤７０が設置され、受信機１０と中継盤７０の間がイーサネット（登録商標）等のネットワーク回線７２により通信接続されている。
【０１７２】
受信機１０は図１に示したと同じであり、これに対し中継盤７０は図１の受信機１０からディスプレイ２７、表示部２８、操作部３０及び音響警報部３２を含む操作表示機能を除いた構成となり、それ以外は、受信機１０と基本的に同じになる。
【０１７３】
中継盤７０にはループ伝送路１２が接続され、ループ伝送路１２には伝送機能を有する固有アドレスが設定された火災感知器１６、短絡切離し装置１８等の端末が接続されている。
【０１７４】
中継盤７０には図２の受信機１０と同様に伝送制御部３６、伝送部２６、終端電圧検出部４０、終端スイッチ４２−１，４２−２が設けられる。中継盤７０は、ループ伝送路１２の終端電圧が正常に検出される場合は、ループ伝送路の始端からの信号の送受信により火災を監視する始端側伝送制御を行う。
【０１７５】
また、中継盤７０は、ループ伝送路１２の終端電圧が断たれた短絡又は断線による線路障害を検出して終端スイッチをオンし、ループ伝送路１２の始端から信号の送受信を行う始端側伝送制御に加え、終端スイッチを介してループ伝送路の終端から信号の送受信を行う終端側伝送制御を行うことで火災を監視する。
【０１７６】
また、中継盤７０の伝送部は、中継盤７０の立上げ時に、ループ伝送路１２が正常であれば、始端側立上げ制御により中継盤７０からの短絡切離し装置１８の接続順番を示すノードマップを生成し、ネットワーク回線７２を介して受信機１０にノードマップ情報を送信し、受信機１０のディスプレイに正常時のノードマップを表示させる。
【０１７７】
また、中継盤７０の伝送部は、ループ伝送路１２に短絡又は断線があった場合には、中継盤７０の始端及び終端の各々からの短絡切離し装置１８の接続順番と短絡又は断線位置を示すノードマップを生成し、ネットワーク回線７２を介して受信機１０にノードマップ情報を送信し、受信機１０のディスプレイに短絡時又は断線時のノードマップを表示させる。
【０１７８】
［本発明の変形例］
上記の実施形態に示したノードマップ画面の表示は一例であり、必要に応じて適宜の表示形態となるノードマップを表示することを妨げない。例えば、リスト表示としても良い。伝送路の始端側から順番にアドレスを表示するものであってもよい。
【０１７９】
また、伝送路正常時の立上げ制御時の接続順番検出時に、感知器や発信機等のループ伝送路に接続される短絡切離し装置以外の端末についても接続場所を検出するようにしても良い。
【０１８０】
短絡切離し装置のアドレスを送信する前に、短絡切離し装置以外の端末のアドレスに対して端末呼出信号を送信し、応答信号があったものについては、ループ伝送路のうち、最始端の短絡切離し装置よりも始端側の端末として検出する。
【０１８１】
次に、短絡切離し装置のアドレスを送信し、いずれかの短絡切離し装置から応答信号を受信すると、最始端の短絡切離し装置よりも始端側の端末以外の短絡切離し装置以外の端末のアドレスに対して端末呼出信号を送信し、応答信号があったものについては、ループ伝送路のうち、最始端の短絡切離し装置と二番目に始端側に近い短絡切離し装置の間の端末として検出する。
【０１８２】
これを繰り返し、ループ伝送路における短絡切離し装置ごとの端末位置を検出する。このように検出した端末位置を、端末を含めたノードマップとして表示する。また、上記端末を含めたノードマップはリスト表示しても良い。これによれば、断線や短絡検出時に、通信不能となる端末を容易に特定可能となる。
【０１８３】
また、ノードマップは受信機以外でも表示しても良い。例えば、総合防災盤に送信して表示しても良いし、受信機より印字しても良い。また、端末を含めたノードマップ情報も総合防災盤に出力し、地図上で断線場所や短絡場所を表示しても良い。
【０１８４】
また、短絡切離し装置は断線や短絡に応じて表示灯や警報等で報知するようにしても良い。例えば、短絡切離し動作を行った短絡切離し装置は短絡切離し表示灯を点灯させ、断線時は受信機が始端側最後の短絡切離し装置と前記終端側最後の短絡切離し装置に対して最後の短絡切離し装置を示す信号を送信し、最後の短絡切離し装置を示す信号を受信した短絡切離し装置が断線表示灯を点灯させるようにしても良い。
【０１８５】
また、上記の実施形態は、Ｒ型の受信機からのループ伝送路を介してＲ型の火災感知器を接続した火災報知設備を例にとっているが、Ｐ型の受信機から引き出したループ型の感知器回線にアドレスを設定すると共に伝送機能を備えたアドレッサブル火災感知器を接続した火災報知設備についても同様に適用できる。
【０１８６】
また、本発明はその目的と利点を損なうことのない適宜の変形を含み、更に上記の実施形態に示した数値による限定は受けない。
【符号の説明】
【０１８７】
１０：受信機
１２：ループ伝送路
１４ａ，１４ｂ：信号線
１６，１６−１〜１６−６：火災感知器
１８，１８−１〜１８−５：短絡切離し装置
１８−１ａ〜１８−５ａ：短絡切離し装置シンボル
２０：メインＣＰＵ
２２−１，２２−２：サブＣＰＵ基板
２４：サブＣＰＵ
２６，５０：伝送部
２７：ディスプレイ
２８：表示部
３０：操作部
３２：音響警報部
３４：移報部
３６：伝送制御部
３８：火報制御部
４０：始端電圧検出部
４２−１，４２−２：始端スイッチ
４４：始端電圧検出部
４６−１，４６−１：スイッチ
４８：制御部
５２：電圧検出部
５４：電流制限抵抗
５６：電流制限解除スイッチ
５８−１，５８−２，６０−１，６０−２：ダイオード
６２：ノードマップ表示画面
６４，６４−１，６４−２：短絡
６４ａ，６４−１ａ，６４−２ａ：短絡シンボル
６６，６６−１，６６−２：断線
６６ａ，６６−１ａ，６６−２ａ：断線シンボル
７０：中継盤
７２：ネットワーク回線
【図１】
2020123182.tif 000003
【図２】
2020123182.tif 000004
【図３】
2020123182.tif 000005
【図４】
2020123182.tif 000006
【図５】
2020123182.tif 000007
【図６】
2020123182.tif 000008
【図７】
2020123182.tif 000009
【図８】
2020123182.tif 000010
【図９】
2020123182.tif 000011
【図１０】
2020123182.tif 000012
【図１１】
2020123182.tif 000013
【図１２】
2020123182.tif 000014
【図１３】
2020123182.tif 000015
【図１４】
2020123182.tif 000016
【図１５】
2020123182.tif 000017
【図１６】
2020123182.tif 000018
【図１７】
2020123182.tif 000019